(57)【要約】【課題】一つのスクリーン上で映像を用いた異なる教科の講義、あるいは映像を用いた異なるテーマについての会議や講演を可能にする。【解決手段】１つのスクリーン８と、このスクリーン８に向けて内容が異なる映像を重ねて投影する複数のプロジェクター装置６，９と、プロジェクター毎に偏光軸の方向を変えて配置される偏光フィルター７，１０と、偏光フィルター７，１０の各偏光軸の方向と対応する偏光軸方向を持ち、スクリーン８上に表示された複数の映像を分離して見る複数の偏光フィルターめがね１１，１２とから構成される表示システムを特徴とする。【選択図】図１
2007178582.tif 000002
【特許請求の範囲】
【請求項１】
複数のプロジェクターから内容が異なる映像をそれぞれ偏光軸の方向を変えた偏光フィルターを通して同一スクリーン上に重ねて表示し、上記偏光フィルターの各偏光軸の方向と対応する偏光軸方向を持つ複数の偏光フィルターめがねを使用して上記スクリーン上に表示された複数の映像を分離して見るようにしたことを特徴とするプロジェクター映像の表示方法。
【請求項２】
１つのスクリーンと、
このスクリーンに向けて内容が異なる映像を重ねて投影する複数のプロジェクターと、
プロジェクター毎に偏光軸の方向を変えて設けられる偏光フィルターと、
上記偏光フィルターの各偏光軸の方向と対応する偏光軸方向を持ち、上記スクリーン上に表示された複数の映像を分離して見る複数の偏光フィルターめがねとから構成されることを特徴とするプロジェクター映像の表示システム。
【請求項３】
２台のプロジェクターを有し、各偏光フィルターにおける偏光軸の方向が９０°に交差するものである請求項２記載のプロジェクター映像の表示システム。
【請求項４】
上記スクリーンとして金属粉を塗布したシルバースクリーンが用いられる請求項２または３記載のプロジェクター映像の表示システム。
【発明の詳細な説明】
【技術分野】
【０００１】
本発明は、教室に備えられている一つのスクリーン上に異なる教科の映像を表示して講義を行うような場合、或いは一つのスクリーン上に異なるテーマの映像を表示して会議や講演を行う場合等に好適である、プロジェクター映像の表示方法および表示システムに関するものである。
【背景技術】
【０００２】
従来、各種学校において映像情報に基づいた授業を行う際にプロジェクターが利用されている。
【０００３】
現在、プロジェクターの方式には大きく分けてａ）３ＬＣＤ方式とｂ）ＤＬＰ方式とｃ）ＬＣＯＳ方式がある。
【０００４】
ａ）３ＬＣＤ方式は、ランプから出た光をダイクロイックミラーを使用してＲＧＢの３色に分解し、各色専用に割り当てられた３枚の液晶パネルを透過させるものであり、分解された光はプリズムで合成しスクリーンに投影されるようになっている。
【０００５】
ｂ）ＤＬＰ方式は、表示デバイスとしてミクロンサイズの微小な鏡が数十万〜百数十万個並べられている半導体、ＤＭＤ（Digital Micromirror Device）を使用しており、一つの鏡が一画素に対応している。この方式では光源からの光をカラーホイールによってＲ（赤）、Ｇ（緑）、Ｂ（青）と順次切り替え、単板のＤＭＤに反射させることで映像をスクリーンに投影するようになっている。
【０００６】
ｃ）ＬＣＯＳ方式は、表示デバイスにＬＣＯＳ（Liquid Crystal On Silicon）を使用し、高解像度な素子の特性を活かし、光源からの光をそのＬＣＯＳに反射させて映像をスクリーンに投影するようになっている。
【発明の開示】
【発明が解決しようとする課題】
【０００７】
しかしながら、上記したプロジェクターを用いた映像システムでは、異なる教科をそれぞれ映像を用いて講義するような場合、教科毎にプロジェクターとスクリーンを設置するため複数の教室を手配しなければならない。
【０００８】
例えば、ある教科を受講する生徒数が極めて少ない場合であっても映像情報が異なる限り常に教室を分ける必要がある。このため、教室数が限られている学校ではプロジェクターを利用する授業を組みにくいという課題があった。
【０００９】
本発明は以上のような従来のプロジェクターを利用した授業における課題を考慮してなされたものであり、一つのスクリーン上に異なる教科の映像、異なる講演内容の映像、あるいは会議等で利用される異なるテーマの映像を同時に表示し、観者側で所望の映像を分離して見ることができるようにしたプロジェクター映像の表示方法および表示システムを提供するものである。
【課題を解決するための手段】
【００１０】
本発明に係るプロジェクター映像の表示方法は、複数のプロジェクターから内容が異なる映像をそれぞれ偏光軸の方向を変えた偏光フィルターを通して同一スクリーン上に重ねて表示し、偏光フィルターの各偏光軸の方向と対応する偏光軸方向を持つ複数の偏光フィルターめがねを使用してスクリーン上に表示された複数の映像を分離して見るようにしたことを要旨とする。
【００１１】
本発明に係るプロジェクター映像の表示システムは、１つのスクリーンと、このスクリーンに向けて内容が異なる映像を重ねて投影する複数のプロジェクターと、プロジェクター毎に偏光軸の方向を変えて設けられる偏光フィルターと、偏光フィルターの各偏光軸の方向と対応する偏光軸方向を持ち、スクリーン上に表示された複数の映像を分離して見る複数の偏光フィルターめがねとから構成されることを要旨とする。
【００１２】
上記表示システムにおいて、２台のプロジェクターを有する場合、偏光フィルターとしては偏光軸の方向が９０°に交差するものを使用することができる。
【００１３】
また、上記表示システムにおけるスクリーンとしては金属粉を塗布したシルバースクリーンを用いることが好ましい。
【発明の効果】
【００１４】
本発明のプロジェクター映像の表示方法および表示システムによれば、一つの部屋で複数教科の講義、複数テーマについての会議や講演を可能にすることができるという長所を有する。
【発明を実施するための最良の形態】
【００１５】
以下、図面に示した実施の形態に基づいて本発明を詳細に説明する。
【００１６】
図１は、本発明に係るプロジェクター映像の表示方法が適用される表示システムの原理を示したものである。
【００１７】
なお、以下の説明では教室内に設置された１つのスクリーン上に、異なる２つの教科を同時に投影して講義を行う場合を例に取り説明する。
【００１８】
同図において、プロジェクター映像の表示システム（以下、表示システムと略称する）１において、第１カメラ２は、例えば第一の教科の教材として撮影される被写体Ａを撮影するためのものである。この第１カメラ２は例えばＶＴＲでＤＶＤ（Digital Verrsatile Disk）記録再生装置で構成される第１記録再生装置３に接続されており、第１カメラ２によって撮影された被写体Ａの映像は第１記録再生装置３に記録されるようになっている。
【００１９】
一方、第２カメラ４は第二の教科の教材として撮影される被写体Ｂを撮影するためのものであり、この第２カメラ４によって撮影された映像は同じくＶＴＲやＤＶＤ記録再生装置で構成される第２記録再生装置５に記録されるようになっている。
【００２０】
なお、第一の教科の教材（または第２の教科の教材）としてＣＤＲ（Compact Disk Recordable）やＤＶＤに予め記録されている映像情報を利用する場合は、上記第１カメラ２および第２カメラ４は表示システム１から省くことができる。
【００２１】
また、上記第１および第２記録再生装置３，５に接続される入力側機器としては、上記以外にデジタルカメラ、デスクトップパソコンまたはノートパソコン、レーザーディスクプレーヤー、ビデオムービー等が示される。
【００２２】
上記第１記録再生装置３は第１プロジェクター装置６に接続されている。
【００２３】
第１プロジェクター装置６は、表示デバイスとして単板式アモルファスシリコンＴＦＴ（Thin Film Ttansistor）からなる液晶表示パネル６ａを備えており、ランプ６ｂからの光を回転プリズム６ｃによってＲＧＢに分解し、その液晶表示パネル６ａに入射するようになっている。
【００２４】
液晶表示パネル６ａからレンズ６ｆを介して投影される映像は、さらに、レンズ６ｆ近傍に配置された第一偏光フィルター７を通してスクリーン８上に投影されるようになっている。なお、図中、６ｄ，６ｅはレンズを示している。
【００２５】
スクリーン８は、例えばアルミニウム等の金属粉を塗布したいわゆるシルバースクリーンで構成することができるが、壁面に銀色の塗料を塗布したもので代用することもできる。
【００２６】
一方、第２記録再生装置５は第２プロジェクター装置９に接続されている。
【００２７】
この第２プロジェクター９の構成は、基本的に第１プロジェクター装置６と同じものであり、液晶表示パネル９ａと、ランプ９ｂと回転プリズム９ｃとレンズ９ｄ〜９ｆを備えている。
【００２８】
レンズ９ｆ近傍には第二偏光フィルター１０が配置されており、第２プロジェクター装置９からの映像はその第二偏光フィルター１０を通してスクリーン８上に投影されるようになっている。
【００２９】
ただし、第一偏光フィルター７における偏光軸の方向と第二偏光フィルター１０のそれとは９０°に交差するように配置されており、例えば第１プロジェクター装置６から投影される映像はスクリーン８に対して水平方向（Ｃ方向）に偏光され、第２プロジェクター装置９から投影される映像はスクリーン８に対して垂直方向（Ｄ方向）に偏光されるようになっている。
【００３０】
このようにして同じスクリーン８上に、内容が異なる映像、すなわち被写体Ａを撮影した映像と被写体Ｂを撮影した映像とが重ねて表示される。
【００３１】
ただしこのままでは、被写体Ａと被写体Ｂがだぶった状態で見えるため、観者はスクリーン８上に投影された映像を認識することができない。
【００３２】
そこで、教室内の生徒に対し、偏光方向Ｃに対応する偏光軸方向を持つ偏光フィルターめがね１１と偏光方向Ｄに対応する偏光軸方向を持つ偏光めがね１２とが配布される。例えば第一の教科を受講する生徒に対しては偏光フィルターめがね１１が支給され、第二の教科を受講する生徒に対しては偏光フィルターめがね１２が支給される。
【００３３】
偏光フィルターめがね１１は、水平方向（Ｃ方向）に偏光された映像のみを見ることができるようになっており、偏光フィルターめがね１２は垂直方向（Ｄ方向）に偏光された映像のみを見ることができるようになっている。
【００３４】
それにより、共通のスクリーン８を見ながら偏光フィルターめがね１１が与えられた生徒は第一の教科に関する映像（被写体Ａ）を分離した状態で見ることができ、一方、偏光フィルターめがね１２が与えられた生徒は第二の教科に関する映像（被写体Ｂ）を分離した状態で見ることができるようになる。
【００３５】
しかも本発明では、従来のスクリーンのように一つのスクリーンを左右に分割して複数の映像を表示するものではなく、内容の異なる映像を一つのスクリーン８上に重ねて投影するものであるから、映像を見る生徒は、着席位置については何ら規制がなくスクリーン８の前に混在した状態で座ることができる。
【００３６】
なお、上記実施形態では、偏光フィルターの偏光軸方向が水平方向と垂直方向に９０°に交差するものを使用したが、偏光軸方向はこれに限らず、左４５°、右１３５°のいわゆる山型であってもよい。
【００３７】
また、教材として映像に音声が含まれる場合には、各生徒に対し偏光フィルターめがね１１（または１２）に加えてイヤホンあるいはヘッドホンを支給すればよい。
【図面の簡単な説明】
【００３８】
【図１】本発明に係るプロジェクターを用いた表示システムの構成を示すブロック図である。
【符号の説明】
【００３９】
１    表示システム
２    第１カメラ
３    第１記録再生装置
４    第２カメラ
５    第２記録再生装置
６    第１プロジェクター装置
６ａ  液晶表示パネル
６ｂ  ランプ
６ｃ  回転プリズム
６ｄ〜６ｆ  レンズ
７    第１偏光フィルター
８    スクリーン
９    第２プロジェクター装置
９ａ  液晶表示パネル
９ｂ  ランプ
９ｃ  回転プリズム
９ｄ〜９ｆ  レンズ
１０    第二偏光フィルター
１１    偏光フィルターめがね
１２    偏光フィルターめがね
【図１】
2007178582.tif 000003